(57)【特許請求の範囲】
【請求項１】
情報処理装置が実行する情報処理方法であって、
商品ページが指定されて投稿された動画を商品動画として受け付ける動画投稿受付処理ステップと、
前記商品動画を前記指定された商品ページと紐付けて記憶する動画保存処理ステップと、
前記指定された商品ページに関連する素材情報を関連素材情報として取得する素材情報取得処理ステップと、
ユーザ端末上で前記関連素材情報が重畳された前記商品動画を表示させるための重畳表示用情報を生成する重畳表示用情報生成処理ステップと、
ユーザ端末からの商品ページの表示要求に応じて、前記重畳表示用情報を前記ユーザ端末へ送信する送信処理ステップと、を実行する
情報処理方法。
【請求項２】
前記重畳表示用情報生成処理ステップは前記重畳表示用情報として前記商品動画を構成する画像に前記関連素材情報を焼き付ける画像加工を施した加工動画を作成する
請求項１に記載の情報処理方法。
【請求項３】
前記動画保存処理ステップは画像加工を施す前の投稿された前記商品動画を加工前動画として記憶し、
前記重畳表示用情報生成処理ステップは、前記加工前動画に対する前記関連素材情報の重畳態様を示す重畳態様情報を生成し、
前記送信処理ステップは前記加工前動画と前記関連素材情報と前記重畳態様情報とをユーザ端末に送信する
請求項１に記載の情報処理方法。
【請求項４】
前記指定された商品ページの情報の変更の有無を判定する商品ページ変更判定処理ステップを実行し、
前記商品ページ変更判定処理ステップにおいて前記商品ページの情報が変更されたと判定した場合に前記素材情報取得処理ステップを実行する
請求項１に記載の情報処理方法。
【請求項５】
前記指定された商品ページにおいて前記商品動画に重畳させる前記関連素材情報が変更されたか否かを判定する素材情報変更判定処理ステップを実行し、
前記素材情報変更判定処理ステップにおいて前記関連素材情報が変更されたと判定した場合に前記素材情報取得処理ステップを実行する
請求項１に記載の情報処理方法。
【請求項６】
前記商品ページは階層構造で構成された複数のウェブページの一部とされ、
前記素材情報取得処理ステップでは、前記商品ページの上位階層のウェブページに含まれる情報を前記関連素材情報として取得する
請求項１に記載の情報処理方法。
【請求項７】
ユーザ情報を取得するユーザ情報取得ステップを実行し、
前記素材情報取得処理ステップは前記ユーザ情報に基づいて前記関連素材情報を取得する
請求項１に記載の情報処理方法。
【請求項８】
商品ページが指定されて投稿された動画を商品動画として受け付ける動画投稿受付手順と、
前記商品動画を前記指定された商品ページと紐付けて記憶する動画保存手順と、
前記指定された商品ページに関連する素材情報を関連素材情報として取得する素材情報取得手順と、
ユーザ端末上で前記関連素材情報が重畳された前記商品動画を表示させるための重畳表示用情報を生成する重畳表示用情報生成手順と、
ユーザ端末からの商品ページの表示要求に応じて、前記重畳表示用情報を前記ユーザ端末へ送信する送信手順とを
情報処理装置に実行させるプログラム。
【請求項９】
商品ページが指定されて投稿された動画を商品動画として受け付ける動画投稿受付手順と、
前記商品動画を前記指定された商品ページと紐付けて記憶する動画保存手順と、
前記指定された商品ページに関連する素材情報を関連素材情報として取得する素材情報取得手順と、
ユーザ端末上で前記関連素材情報が重畳された前記商品動画を表示させるための重畳表示用情報を生成する重畳表示用情報生成手順と、
ユーザ端末からの商品ページの表示要求に応じて、前記重畳表示用情報を前記ユーザ端末へ送信する送信手順とを
情報処理装置に実行させるプログラムを記憶した記憶媒体。
【請求項１０】
商品ページが指定されて投稿された動画を商品動画として受け付ける動画投稿受付部と、
前記商品動画を前記指定された商品ページと紐付けて記憶する動画保存部と、
前記指定された商品ページに関連する素材情報を関連素材情報として取得する素材情報取得部と、
ユーザ端末上で前記関連素材情報が重畳された前記商品動画を表示させるための重畳表示用情報を生成する重畳表示用情報生成部と、
ユーザ端末からの商品ページの表示要求に応じて、前記重畳表示用情報を前記ユーザ端末へ送信する送信処理部と、を備える
情報処理装置。
【発明の詳細な説明】
【技術分野】
【０００１】
本発明は、情報処理方法、プログラム、記憶媒体、情報処理装置に関し、具体的には、商品に関わる動画の投稿に関する。
【先行技術文献】
【特許文献】
【０００２】
【特許文献１】特開２００７−０１８１４４号公報
【背景技術】
【０００３】
商品をプロモーションする場合に、商品の利点や使い方などをまとめた動画を作成し、公開することが行われている。例えば、テレビ放送のコマーシャル枠で放映される商品プロモーション動画や、動画共有サービスにおいて提供される動画の再生開始時などに再生される広告動画などが該当する。
電子商取引においても同様の商品プロモーションが行われており、例えば、商品販売者（以降、販売者と記載）は商品ページに紐付けられた商品紹介の動画（以降、商品動画と記載）などを作成し、商品ページ上に配置する。他にも、特許文献１に示すように、商品を紹介する画面に商品を紹介する動画を再生するためのボタンを配置してもよい。
【発明の概要】
【発明が解決しようとする課題】
【０００４】
ところが、商品動画の作成には、相応の作業負担が生じる。特に、商品ごとに商品動画を作成する場合、販売する商品の種類が増えるにつれて作業負担が増大し、時間的コストが増大するため、商品動画を利用した商品のプロモーションを行えない虞がある。
本発明は、このような課題に鑑みてなされたものであり、一つ一つの商品動画の作成に掛かる時間的なコストを削減し、商品紹介動画を用いた商品プロモーションを行いやすくすることを目的とする。
【課題を解決するための手段】
【０００５】
本発明に係る情報処理方法は、情報処理装置が実行する情報処理方法であって、商品ページが指定されて投稿された動画を商品動画として受け付ける動画投稿受付処理ステップと、前記商品動画を前記指定された商品ページと紐付けて記憶する動画保存処理ステップと、前記指定された商品ページに関連する素材情報を関連素材情報として取得する素材情報取得処理ステップと、ユーザ端末上で前記関連素材情報が重畳された前記商品動画を表示させるための重畳表示用情報を生成する重畳表示用情報生成処理ステップと、ユーザ端末からの商品ページの表示要求に応じて、前記重畳表示用情報を前記ユーザ端末へ送信する送信処理ステップと、を実行する。
これにより、商品動画と商品ページを紐付ける作業などが簡易化され、一つ一つの商品動画の作成に掛かる時間的なコストが削減される。【０００６】
上記した情報処理方法は、前記重畳表示用情報生成処理ステップは前記重畳表示用情報として前記商品動画を構成する画像に前記関連素材情報を焼き付ける画像加工を施した加工動画を作成する。
これにより、情報処理装置において関連素材情報が焼き付けられた動画が作成される。【０００７】
上記した情報処理方法は、前記動画保存処理ステップは画像加工を施す前の投稿された前記商品動画を加工前動画として記憶し、前記重畳表示用情報生成処理ステップは、前記加工前動画に対する前記関連素材情報の重畳態様を示す重畳態様情報を生成し、前記送信処理ステップは前記加工前動画と前記関連素材情報と前記重畳態様情報とをユーザ端末に送信する。
これにより、情報処理装置において動画を加工する処理が必要とされない。【０００８】
上記した情報処理方法は、前記指定された商品ページの情報の変更の有無を判定する商品ページ変更判定処理ステップを実行し、前記商品ページ変更判定処理ステップにおいて前記商品ページの情報が変更されたと判定した場合に前記素材情報取得処理ステップを実行する。
これにより、素材情報の取得先の商品ページが変更された際には、新しい素材情報から関連素材情報が取得される。【０００９】
上記した情報処理方法は、前記指定された商品ページにおいて前記商品動画に重畳させる前記関連素材情報が変更されたか否かを判定する素材情報変更判定処理ステップを実行し、前記素材情報変更判定処理ステップにおいて前記関連素材情報が変更されたと判定した場合に前記素材情報取得処理ステップを実行する。
これにより、素材情報の取得先の商品ページにおいて、関連素材情報として用いた情報が変更されていない場合には、不要な素材情報取得処理が発生しない。【００１０】
上記した情報処理方法は、前記商品ページは階層構造で構成された複数のウェブページの一部とされ、前記素材情報取得処理ステップでは、前記商品ページの上位階層のウェブページに含まれる情報を前記関連素材情報として取得する。
これにより、例えば、店舗のトップページの情報などが関連素材情報として取得される。【００１１】
上記した情報処理方法は、ユーザ情報を取得するユーザ情報取得ステップを実行し、前記素材情報取得処理ステップは前記ユーザ情報に基づいて前記関連素材情報を取得する。
これにより、ユーザの属性情報に応じた関連素材情報がユーザ端末に送信される。【００１２】
本発明に係るプログラムは、上記情報処理方法として実行する処理を情報処理装置に実行させるプログラムである。
本発明に係る記憶媒体は、上記プログラムを記憶した記憶媒体である。これらのプログラムや記憶媒体により上記の情報処理装置を実現する。【００１３】
本発明に係る情報処理装置は、商品ページが指定されて投稿された動画を商品動画として受け付ける動画投稿受付部と、前記商品動画を前記指定された商品ページと紐付けて記憶する動画保存部と、前記指定された商品ページに関連する素材情報を関連素材情報として取得する素材情報取得部と、ユーザ端末上で前記関連素材情報が重畳された前記商品動画を表示させるための重畳表示用情報を生成する重畳表示用情報生成部と、ユーザ端末からの商品ページの表示要求に応じて、前記重畳表示用情報を前記ユーザ端末へ送信する送信処理部と、を備える。
この情報処理装置により、商品動画と商品ページを紐付ける作業などが簡易化される。
【発明の効果】
【００１４】
本発明によれば、一つ一つの商品動画の作成に掛かる時間的なコストを削減し、商品紹介動画を用いた商品プロモーションを行いやすくすることができる。
【図面の簡単な説明】
【００１５】
【図１】本発明の実施の形態の全体の構成を示す図である。
【図２】本実施の形態の商品動画サーバのブロック図である。
【図３】本実施の形態のコンピュータのブロック図である。
【図４】商品動画ＤＢの例を示す図である。
【図５】商品動画ＤＢの別の例を示す図である。
【図６】全体の流れを示す図である。
【図７】素材情報取得処理の例を示すフローチャートである。
【図８】重畳表示用情報生成処理の第１例を示すフローチャートである。
【図９】重畳表示用情報生成処理の第２例を示すフローチャートである。
【図１０】第２の実施の形態における全体の流れを示す図である。
【図１１】素材情報取得処理の別の例を示すフローチャートである。
【図１２】第３の実施の形態における全体の流れを示す図である。
【発明を実施するための形態】
【００１６】
本実施の形態においては、電子商取引サービスを利用して商品を販売する販売者が、商品の販促のための商品動画を撮影して投稿する例を説明する。
以下、実施の形態を次の順序で説明する。
【００１７】
＜１．全体構成＞
＜２．ハードウエア構成＞
＜３．商品動画ＤＢ＞
＜４．処理の流れ＞
＜５．各処理＞
［５−１．素材情報取得処理の第１例］
［５−２．重畳表示用情報生成処理の第１例］
［５−３．重畳表示用情報生成処理の第２例］
［５−４．送信処理の第１例］
［５−５．送信処理の第２例］
＜６．第２の実施の形態＞
［６−１．素材情報取得処理の第２例］
＜７．第３の実施の形態＞
＜８．変形例＞
＜９．まとめ＞
＜１０．プログラム及び記憶媒体＞
【００１８】
＜１．全体構成＞
本実施の形態の商品動画サーバ１を含むネットワークシステム全体の構成を図１及び図２を用いて説明する。
図１に示すように、本実施の形態の商品動画サーバ１は、通信ネットワーク２を介して電子商取引サーバ３と販売者端末４，４，４・・・と、ユーザ端末５，５，５・・・と相互に通信可能な状態に接続されている。
【００１９】
商品動画サーバ１は、商品動画を管理する情報処理装置であり、撮影された商品動画の投稿を受け付けて保存する処理や、商品動画に関連する素材情報を取得する処理や、商品動画に関連素材情報を重畳させる処理などを実行する。また、必要に応じて商品動画を加工する処理を実行する。
上記した各処理を実行するために、商品動画サーバ１は、商品動画ＤＢ５０を管理する。商品動画ＤＢ５０の詳細は後述するが、商品動画と商品を販売するためのウェブページ（以降商品ページと記載）との対応情報などが記憶される。
【００２０】
図１の構成において、通信ネットワーク２の構成は特に限定されるものではなく、例えば、インターネット、イントラネット、エキストラネット、ＬＡＮ（Local Area Network）、ＣＡＴＶ（Community Antenna TeleVision）通信網、仮想専用網（Virtual Private Network）、電話回線網、移動体通信網、衛星通信網などが想定される。
また通信ネットワーク２の全部又は一部を構成する伝送媒体についても多様な例が想定される。例えばＩＥＥＥ（Institute of Electrical and Electronics Engineers）１３９４、ＵＳＢ（Universal Serial Bus）、電力線搬送、電話線などの有線でも、ＩｒＤＡ（Infrared Data Association）のような赤外線、ブルートゥース（登録商標）、８０２．１１無線、携帯電話網、衛星回線、地上波デジタル網などの無線でも利用可能である。
【００２１】
電子商取引サーバ３は、商品の取引に関する各種サービスを提供する情報処理装置である。各種サービスとは、例えば、当該電子商取引で扱っている商品群の中から商品を購入する者（以降ユーザと記載）が所望する商品を検索して提示するサービスや、ユーザ情報の管理サービス、商品を販売する者（以降販売者と記載）の情報を管理するサービス、商品の売買が成立した際の代金のやりとりを仲介する決済処理サービスなどである。
【００２２】
電子商取引サーバ３は、上記の各種サービスの提供を実現するために、各種データベースを管理する。例えば、商品の情報を記憶する商品ＤＢ５１、商品を販売する店舗の情報を記憶する店舗ＤＢ５２、販売者の情報（販売者ＩＤやパスワードなど）を記憶する販売者ＤＢ５３、商品を購入するユーザの情報（ユーザＩＤやパスワードなど）を記憶するユーザＤＢ５４などである。
【００２３】
図１に示す販売者端末４は、販売者が使用する情報処理装置であり、例えば、通信機能を備えたＰＣ（Personal Computer）やフィーチャーフォンやＰＤＡ（Personal Digital Assistants）、或いは、スマートフォンやタブレット端末などのスマートデバイスなどである。販売者端末４は販売者が販売する商品に係る情報を電子商取引サーバ３に対して送信する処理や、電子商取引サーバ３に登録する販売者情報の入力を受け付ける処理などを実行する。
ユーザ端末５は、ユーザが使用する情報処理装置であり、例えば、通信機能を備えたＰＣやフィーチャーフォンやＰＤＡ、或いは、スマートフォンやタブレット端末などのスマートデバイスなどである。ユーザ端末５は、商品ページの閲覧のための各種処理や商品購入に係る各種入力の受付処理や、電子商取引サーバ３に登録するユーザ情報の入力の受付処理などを実行する。
【００２４】
商品動画サーバ１の機能ブロックを図２を参照して説明する。
商品動画サーバ１は、図２に示すように、動画管理部１ａと素材情報取得部１ｂと重畳表示用情報生成部１ｃと通信処理部１ｄとを有している。
動画管理部１ａは、商品ページが指定されて投稿された商品動画を当該商品ページと紐付けて記憶する動画保存処理を実行する。加えて、商品動画と当該商品ページを紐付けた情報を記憶してもよい。これらの各情報は商品動画ＤＢ５０に記憶される。
【００２５】
素材情報取得部１ｂは、商品動画の投稿の際に指定された商品ページに関連する素材情報を、商品ページや販売者ページなどから取得する処理を実行する。関連素材情報は、例えば、商品の性能を示すキーワードや文章、或いは、商品の画像などである。
重畳表示用情報生成部１ｃは、ユーザ端末上で関連素材情報が重畳された商品動画を表示させるための重畳表示用情報生成処理を実行する。重畳表示用情報生成処理については、いくつかの例を後述する。
通信処理部１ｄは、商品動画サーバ１に対する各種要求を受信する処理や、作成した商品動画や重畳表示用情報などを送信する処理などを実行する。
【００２６】
尚、通信処理部１ｄは動画投稿受付部及び送信処理部として、動画管理部１ａは動画保存部及び重畳表示用情報生成部として、それぞれ機能する。
【００２７】
＜２．ハードウエア構成＞
図３は、図１に示した商品動画サーバ１、電子商取引サーバ３、販売者端末４及びユーザ端末５のハードウエアを例示する図である。それぞれのサーバや端末におけるコンピュータ装置のＣＰＵ（Central Processing Unit）１０１は、ＲＯＭ（Read Only Memory）１０２に記憶されているプログラム、または記憶部１０８からＲＡＭ（Random Access Memory）１０３にロードされたプログラムに従って各種の処理を実行する。ＲＡＭ１０３にはまた、ＣＰＵ１０１が各種の処理を実行する上において必要なデータなども適宜記憶される。
ＣＰＵ１０１、ＲＯＭ１０２、およびＲＡＭ１０３は、バス１０４を介して相互に接続されている。このバス１０４には、入出力インターフェース１０５も接続されている。
入出力インターフェース１０５には、キーボード、マウス、タッチパネルなどよりなる入力装置１０６、ＬＣＤ（Liquid Crystal Display）、ＣＲＴ（Cathode Ray Tube）、有機ＥＬ（Electroluminescence）パネルなどよりなるディスプレイ、並びにスピーカなどよりなる出力装置１０７、ＨＤＤ（Hard Disk Drive）やフラッシュメモリ装置などより構成される記憶部１０８、通信ネットワーク２を介しての通信処理や機器間通信を行う通信部１０９が接続されている。
入出力インターフェース１０５にはまた、必要に応じてメディアドライブ１１０が接続され、磁気ディスク、光ディスク、光磁気ディスク、或いは半導体メモリなどのリムーバブルメディア１１１が適宜装着され、リムーバブルメディア１１１に対する情報の書込や読出が行われる。
【００２８】
このようなコンピュータ装置では、通信部１０９による通信によりデータやプログラムのアップロード、ダウンロードが行われたり、リムーバブルメディア１１１を介したデータやプログラムの受け渡しが可能である。
ＣＰＵ１０１が各種のプログラムに基づいて処理動作を行うことで、商品動画サーバ１、電子商取引サーバ３、販売者端末４及びユーザ端末５のそれぞれにおいて後述する情報処理や通信が実行される。
尚、商品動画サーバ１、電子商取引サーバ３、販売者端末４及びユーザ端末５を構成するそれぞれの情報処理装置は、図３のようなコンピュータ装置が単一で構成されることに限らず、システム化された複数のコンピュータ装置によって構成されてもよい。複数のコンピュータ装置は、ＬＡＮなどによりシステム化されていてもよいし、インターネットなどを利用したＶＰＮ（Virtual Private Network）などを介して通信可能に遠隔地に配置されたものでもよい。
【００２９】
＜３．商品動画ＤＢ＞
商品動画ＤＢ５０には、商品動画が商品ページに紐付けられて記憶される。更に、商品動画と商品ページの紐付情報も記憶される。
ここでは、商品動画ＤＢ５０に記憶される紐付情報に関して二つの例を挙げて説明する。一つは、商品動画上に関連素材情報を重ねて表示する際に、動画加工処理を行わない場合である。即ち、例えば、商品動画と関連素材情報が別々のデータとされ重畳表示用情報としてユーザ端末５へ送られ、動画再生時に適宜ユーザ端末５上で商品動画上に関連素材情報が重畳表示される場合である。
この場合の商品動画ＤＢ５０は、図４に示すように、商品動画のＵＲＬ（Uniform Resource Locator）と、商品ページのＩＤと、動画に重畳させる素材に係る情報とが記憶される。動画に重畳させる素材に係る情報としては、具体的には、関連素材の種別情報と、関連素材（商品動画に重畳表示させる説明文などの文字情報、或いは、重畳表示させる画像のＵＲＬ）と、重畳表示させる時間情報（重畳開始時間と重畳終了時間）と、重畳表示させる位置情報（例えば、動画の左上を起点としたときのＸ，Ｙ座標）が紐付けられて記憶される。時間情報と位置情報とは、関連素材の重畳態様を表す情報（重畳態様情報）として機能する。
【００３０】
具体的には、図４に示すように、商品動画のＵＲＬ情報（http://aaa.bbb.・・・）に対して、一つの商品ページＩＤ（Identification）と、複数の関連素材情報の重畳表示用情報が記憶される。関連素材情報の重畳表示用情報は、例えば、素材種別、関連素材情報、開始時間、終了時間、位置情報などである。具体的には、「簡単操作」という文字列が動画再生開始後１２秒経過時から１６秒経過時までＸ座標２００，Ｙ座標３００の位置に表示されることが記憶されている。また、ＵＲＬ情報がhttp://aaa.ccc.・・・とされた画像が動画再生開始後１７秒経過時から２２秒経過時までＸ座標２００，Ｙ座標３００の位置に表示されることが記憶されている。更に、「今なら特典付き」という文字列が動画再生開始後２３秒経過時から３０秒経過時まで動画の下部に表示されることが記憶されている。
【００３１】
商品動画ＤＢ５０の二つ目の例は、動画加工処理を行った加工動画をユーザ端末５上で再生させる場合である。具体的には後述するが、動画を構成する画像に関連素材情報（文字或いは画像）を焼き付ける画像加工を施した加工動画を作成して、ユーザ端末５上で再生させる。
この場合の商品動画ＤＢ５０は、図５に示すように、動画加工処理を施した加工動画としての商品動画のＵＲＬと商品ページＩＤが紐付けられて記憶される。
【００３２】
＜４．処理の流れ＞
続いて、全体の処理の流れについて、図６を参照して説明する。尚、以下の説明においては、販売者端末４として前述したスマートデバイスを例に挙げる。
先ず、ステップＳ１０１において、販売者端末４はソフトウェアの起動処理を実行する。具体的には、販売者によるソフトウェア起動操作を受けて、ソフトウェアを起動する。ソフトウェアは、例えば、商品動画の作成と投稿を行うことができる専用のアプリケーションなどである。
【００３３】
次に、販売者端末４はステップＳ１０２において、ログイン処理を実行する。具体的には販売者のログイン情報の入力操作を受け付け、商品動画サーバ１に対して暗号化された認証情報を送信する。認証情報は、例えば、販売者ＩＤとパスワードである。
続いて、商品動画サーバ１はステップＳ２０１において、受信した認証情報を復号化して認証するか否かを決定する認証処理を実行する。認証情報が正しかった場合、商品動画サーバ１は、販売者端末４に対してログインを許可する情報として、例えば、時間制限を付したトークンを送信する。尚、認証情報が誤っており認証できなかった場合には、商品動画サーバ１は販売者端末４に対してログインを許可しない旨を示す情報を送信する。この場合、販売者端末４はログイン操作をやり直す旨を販売者に通知し、ステップＳ１０２のログイン操作を受け付ける処理を再度実行する。
【００３４】
ログインが許可された場合、販売者端末４はステップＳ１０３において、商品ページ上に表示される二次元バーコードの撮影を行う。本例では、商品ページ上には、商品ページを特定するための情報が埋め込まれた二次元バーコードが表示される。ステップＳ１０３では、この二次元バーコードを撮影して解析することにより、例えば、商品ページＩＤや商品ページのＵＲＬなどの商品ページを特定する情報を取得する。
二次元バーコードの撮影に際し、販売者端末４は、販売者に対して二次元バーコードの撮影モードを提供する。これにより、販売者は二次元バーコードの撮影を行うことができる。
【００３５】
次に、販売者端末４はステップＳ１０４において、商品動画の撮影を行う。具体的には、販売者に対して商品動画を撮影するモードを提供する。これにより、販売者は商品動画を撮影することができる。尚、商品動画を撮影するモードにおいては、後の編集作業を容易にするために（若しくは無くすために）、撮影時間として規定の時間（例えば３０秒など）を設定してもよい。そして、商品動画の撮影時間が規定時間を超過した場合には撮影を打ち切るなどの処理を実行してもよい。
【００３６】
続いて、販売者端末４はステップＳ１０５において動画の投稿処理を実行する。具体的には、販売者による動画投稿ボタンの押下などの操作を受け付けて、商品動画サーバ１に対してステップＳ１０４で撮影した商品動画のデータと対応する商品ページの情報とステップＳ２０１で商品動画サーバ１から発行されたトークンを送信する処理となる。これにより、商品動画と商品ページと販売者情報が対応付けられた状態で投稿される。
【００３７】
商品動画が投稿されると、商品動画サーバ１はステップＳ２０２において、動画投稿受付処理としての動画認証処理を実行する。この処理では、受信したトークンに基づいて得られる販売者情報から、投稿された商品動画が資格を有した者によるものであるか否かを確認する。商品ページは、販売者ごとに設けられた商品販売のためのページであるため、販売者（或いは、販売者から許可を受けた者）以外の者に対して商品動画の投稿を許可してしまうのは不適切である。そのため、ステップＳ２０２において、そのような不適切な者による商品動画の投稿を防止する。
【００３８】
続いて、商品動画サーバ１はステップＳ２０３において、動画保存処理を実行する。この処理では、投稿された商品動画を商品ページに紐付けて記憶する処理が行われる。具体的には、図４や図５に示すように商品動画ＤＢ５０へ記憶される。尚、図４に示すように関連素材情報が商品動画ＤＢ５０に記憶される場合、この時点では関連素材情報がないため、商品動画ＵＲＬと商品ページＩＤのみが記憶される。
【００３９】
次に、商品動画サーバ１はステップＳ２０４において、素材情報取得処理を実行する。素材情報取得処理では、商品ページや販売者ページなどから素材情報となる情報を関連素材情報として取得する。関連素材情報とは、商品画像や商品の性能を説明するキーワードなどである。素材情報取得処理の詳細は後述する。
続いて、商品動画サーバ１はステップＳ２０５において、重畳表示用情報生成処理を実行する。重畳表示用情報とは、ユーザ端末４上で関連素材情報が重畳された商品動画を表示させるための情報である。重畳表示用情報生成処理は、少なくとも、ステップＳ２０４で取得した各関連素材情報を商品動画の再生時間における何れのタイミングで表示させるかを決定する処理を実行する。重畳表示用情報生成処理の詳細は後述する。
商品動画サーバ１がステップＳ２０１乃至ステップＳ２０５までの各処理を実行することにより、ユーザが商品ページを閲覧した際に商品ページ上で商品動画を再生させるための準備が完了する。
【００４０】
ユーザがユーザ端末５を利用して電子商取引サーバ３へアクセスし、商品ページを閲覧する操作を行うと、図６のステップＳ３０１に示すように、電子商取引サーバ３はユーザ端末５から商品ページ閲覧要求を受信すると共に、商品動画サーバ１に対して動画送信要求を送信する。
動画送信要求を電子商取引サーバ１から受信した商品動画サーバ１は、ステップＳ２０６において、重畳表示用情報（例えば商品動画や関連素材情報など）を送信する処理を実行する。
【００４１】
図６に示した一連の処理により、販売者が投稿した商品動画が商品ページに紐付けられて保存され、ユーザが商品ページを閲覧した際に商品ページ上で対応する商品動画が再生される仕組みを実現することができる。
【００４２】
＜５．各処理＞
［５−１．素材情報取得処理の第１例］
図６に示したステップＳ２０４の素材情報取得処理について、図７を参照して説明する。
素材情報取得処理の第１例において、商品動画サーバ１は、先ずステップＳ４０１の商品動画に対応する商品ページの情報を取得する処理を実行する。この処理では、例えば、電子商取引サーバ３が管理する商品ＤＢ５１や店舗ＤＢ５２から情報を取得する。
続いて、商品動画サーバ１はステップＳ４０２において、販売者情報を取得する処理を実行する。ここでは、例えば、電子商取引サーバ３が管理する販売者ＤＢ５３から情報を取得する。
【００４３】
尚、ステップＳ４０１やステップＳ４０２で取得する各種情報は、ウェブページ上の表示態様に応じて優先度を付して取得してもよい。例えば、ウェブページ上で赤文字で表示される文言に対しては、高い優先度を付して取得する。他にも、太字で表示される文言や大きいフォントで表示される文言に対しても高い優先度を付して取得する。このような文言は、商品のアピールポイントである可能性が高く、商品動画上に表示させる文言として適切である可能性が高いためである。
【００４４】
［５−２．重畳表示用情報生成処理の第１例］
続いて、図６に示したステップＳ２０５の重畳表示用情報生成処理について、図８を参照して説明する。
重畳表示用情報生成処理の第１例では、商品動画サーバ１は、先ずステップＳ５０１の素材情報を選定する処理を実行する。この処理は、先の素材情報取得処理で取得した各素材情報から、商品動画に重畳させる素材情報を決定する処理となる。
次に商品動画サーバ１はステップＳ５０２において、選定された関連素材情報ごとに重畳表示用情報としての表示位置や表示タイミングを決定する処理を実行する。具体的には、商品動画上の表示位置として、例えば左上のピクセルを（Ｘ，Ｙ）＝（０，０）としたときの関連素材情報の表示座標を決定する。更に、表示タイミングとして、商品動画の再生開始時を０秒としたときの関連素材情報の表示開始秒数と表示終了秒数（或いは表示させる時間長）を決定する。
尚、販売者が商品動画に重畳させる素材情報を決定してもよい。即ち、何れの素材情報を商品動画に重畳させるかを販売者が選択可能なように各素材情報を販売者に提示し、販売者の選択に基づいて重畳表示用情報を生成してもよい。
【００４５】
続いて、商品動画サーバ１はステップＳ５０３において、関連素材情報ごとの表示位置や表示タイミングを重畳態様情報として商品動画ＤＢ５０へ記憶する処理を実行する。本例における重畳表示用情報生成処理においては、動画の加工処理を行わないため、これらの関連素材情報ごとの各情報は、動画保存処理において記憶した加工前動画とは別に記憶される（図４参照）。
これにより、動画を加工する時間を省くことができ、商品動画サーバ１の処理負担を軽減することができる。
【００４６】
［５−３．重畳表示用情報生成処理の第２例］
次に、重畳表示用情報生成処理の第２例を図９を参照して説明する。
重畳表示用情報生成処理の第２例では、商品動画サーバ１はステップＳ６０１において、関連素材情報を選定する処理を実行し、ステップＳ６０２において、関連素材情報ごとの表示位置や表示タイミングを決定する処理を実行する。これらの処理は、図８のステップＳ５０１及びステップＳ５０２の各処理と同様の処理となる。
尚、表示位置と表示タイミングの情報は、動画加工処理を実行した後に不要となるため、図５に示すように、位置情報と時間情報として商品動画ＤＢ５０へ記録しなくてもよい。
【００４７】
次に、商品動画サーバ１はステップＳ６０３において動画を加工する処理を実行する。具体的には、販売者によって投稿された商品動画を加工前動画として商品動画ＤＢ５０の情報に基づいて取得する。そして、ステップＳ６０２で決定した関連素材情報ごとの表示位置や表示タイミングに基づいて、当該加工前動画を構成する画像一枚一枚の中から、加工対象となる画像を選択し、関連素材情報を焼き付ける処理を実行する。加工対象となる画像とは、例えば、関連素材情報を動画再生開始後１０秒経過時から１５秒経過時まで表示させる場合、加工前動画における当該時間帯を構成する一枚一枚の画像である。
【００４８】
続いて、商品動画サーバ１はステップＳ６０４において、ステップＳ６０３で作成した加工動画を重畳表示用情報として商品動画ＤＢ５０へ記憶する。
ステップＳ６０１乃至ステップＳ６０４の各処理を実行することにより、販売者によって投稿された加工前動画に関連素材情報が焼き付けられて（重畳されて）加工動画が生成され、商品動画ＤＢ５０（図５参照）へ記憶される。
【００４９】
［５−４．送信処理の第１例］
送信処理の第１例では、図９で示した重畳表示用情報生成処理によって生成された加工動画をユーザ端末５へ送信する。即ち、ユーザ端末５では、受信した動画をソフトウェアによって再生することにより、関連素材情報が組み込まれた商品動画を閲覧することができる。
【００５０】
［５−５．送信処理の第２例］
送信処理の第２例では、図８で示した重畳表示用情報生成処理によって紐付けられた加工前動画としての商品動画と関連素材情報と重畳態様情報をユーザ端末５へ送信する。即ち、ユーザ端末５は、重畳態様情報に基づき、受信した加工前動画に関連素材情報を重畳して表示する。これにより、ユーザが商品動画を閲覧することができる。このとき、ユーザ端末５で動作するソフトウェアに、関連素材情報を商品動画に重畳表示させるか否かを選択させるボタンなどを実装することにより、ユーザの好みに合わせた関連素材情報を商品動画上に表示するか否かを選択することができる。
【００５１】
＜６．第２の実施の形態＞
第２の実施の形態について図１０を参照して説明する。第２の実施の形態における全体の処理の流れは、図６に示した全体の処理の流れに対して一部のみが相違している。従って、ここでは、相違点を中心に説明を行う。具体的には、図１０におけるステップＳ１０１乃至ステップＳ１０５、ステップＳ２０１乃至ステップＳ２０３及びステップＳ３０１は、図６に同一の符号を付して説明した各処理と同様であるため、説明を省略する。
【００５２】
第２の実施の形態における全体の処理では、電子商取引サーバ３からの動画送信要求を受信した後に、当該商品動画の関連素材情報を取得する処理を実行することが特徴である。
商品動画サーバ１は、ステップＳ２０３の動画保存処理を実行した後、電子商取引サーバ３による動画送信要求を受信するまで素材情報取得処理を実行しない。電子商取引サーバ３から動画送信要求を受信した後、商品動画サーバ１はステップＳ２０７において素材情報取得処理を実行する。この処理は、図６のステップＳ２０４の素材情報取得処理と同様の処理とすることができる。
尚、ステップＳ２０７の素材情報取得処理の別例を図１１により後述する。
続いて、商品動画サーバ１はステップＳ２０８において、重畳表示用情報生成処理を実行する。この重畳表示用情報生成処理は、図８に示した重畳表示用情報生成処理の第１例を実行しても、図９に示した重畳表示用情報生成処理の第２例を実行してもよい。
【００５３】
次に、商品動画サーバ１はステップＳ２０９において、加工動画としての商品動画（或いは加工前動画としての商品動画と関連素材情報の時間情報と位置情報）を送信する処理を実行する。
尚、図８に示した重畳表示用情報生成処理を実行することにより、動画送信要求後に動画加工を行うことが回避され、ユーザが商品ページの閲覧を開始してから商品動画の再生が可能となるまでの時間を短縮することができる。
【００５４】
［６−１．素材情報取得処理の第２例］
図１０に示したステップＳ２０７の素材情報取得処理について別例（第２例）を図１１を参照して説明する。
素材情報取得処理の第２例において、商品動画サーバ１は、先ずステップＳ７０１のユーザ情報取得処理を実行する。ユーザ情報取得処理では、商品ページの表示要求を行ったユーザ端末５を使用しているユーザのユーザ情報をユーザＤＢ５４から取得する。ユーザ情報とは、例えば、ユーザの閲覧履歴や購入履歴、またメールパーミッションの情報などである。これにより、ユーザの趣味嗜好などを把握する。
続いて、商品動画サーバ１はステップＳ７０２において、商品動画に対応する商品ページ情報を取得する。ここで取得する商品ページ情報は、ステップＳ７０１で取得したユーザ情報を加味したものとなる。即ち、商品ページ情報からユーザの趣味嗜好に合致した情報の優先度が高くされる。具体的には、例えば、性能の高い商品を購入する傾向にあるユーザに対しては、商品の性能情報の優先度が高くされる。また、価格の安い商品を購入する傾向にあるユーザに対しては、商品の価格情報や割引き情報の優先度が高くされる。また、製造国にこだわりがあると推測されるユーザに対しては、製造国やメーカー情報の優先度が高くされる。
【００５５】
次に、商品動画サーバ１はステップＳ７０３において、商品を販売している販売者の情報を取得する処理を実行する。ここで取得する販売者情報についても、前述のようにユーザ情報を加味して取得する。例えば、商品の発送に関する情報（例えば翌日配送など）に対してユーザの関心が高い場合には、配送に関する情報の優先度が高くされる。これらのユーザの関心は、例えば当該ユーザのコメント内容などから把握することが可能である。
素材情報取得処理の第２例を実行することにより、この後の重畳表示用情報生成処理において、ユーザ情報に応じた重畳表示用情報が生成される。
【００５６】
尚、素材情報取得処理の第２例では、商品ページをユーザが閲覧した際に、そのユーザの情報に基づいて関連素材情報が取得される。そのため、図６に示したように電子商取引サーバ３からの動画送信要求を受信する前に素材情報取得処理を実行するのではなく、動画送信要求受信後に素材情報取得処理を実行する方が望ましい。
【００５７】
＜７．第３の実施の形態＞
第３の実施の形態について図１２を参照して説明する。第３の実施の形態では、商品ページの情報が変更された際に、当該商品ページに関連する商品動画の重畳表示用情報生成処理を実行する。
先ず、電子商取引サーバ３はステップＳ８０１において商品ページの変更処理を実行した際に、商品動画サーバ１に対して商品ページに記載した情報を変更した旨を通知する。この通知では、商品ページを特定する情報などが通知される。
商品動画サーバ１はステップＳ９０１において、商品ページ変更判定処理を実行する。ここでは、商品ページの変更通知の有無を判定する。
商品ページの変更があったと判定した場合、商品動画サーバ１は続くステップＳ９０２において、情報が変更された商品ページに紐付けられた商品動画の関連素材情報を当該商品ページから取得する処理を実行する。
【００５８】
次に、商品動画サーバ１はステップＳ９０３において、重畳表示用情報生成処理を実行する。この処理は、図６のステップＳ２０５（即ち、図８または図９に示した重畳表示用情報生成処理）と同様の処理となる。
商品ページの情報が変更された際に商品動画に重畳する関連素材情報の再取得を行い重畳表示用情報生成処理を行うことで、商品動画に重畳する関連素材情報を最新の情報に基づいたものとすることができる。また、電子商取引サーバ３から動画送信要求を受信する前にこれらの処理を済ませておくことで、重畳表示用情報（加工した商品動画や関連素材情報や重畳態様情報など）の送信処理を迅速に行うことができる。
【００５９】
尚、商品ページの情報が変更されるごとに画像加工を施して加工動画を作成する場合、作成ごとに加工前動画が必要となるため、加工動画とは別に加工前動画を商品動画ＤＢ５０へ保存しておくことが望ましい。
加えて、商品ページの情報が変更された場合であっても、加工動画に使用した関連素材に係る情報が変更されていない場合は、素材情報取得処理を実行しなくてもよい。即ち、商品動画に重畳させる関連素材情報が更新された場合に素材情報取得処理を実行してもよい。具体的には、ステップＳ９０１において商品動画サーバ１は、変更通知のあった商品ページにおいて、商品動画に重畳させる関連素材情報を検索し、検索結果が得られなかった場合に、当該関連素材情報が変更されたと判定する。例えば、図４に示した「今なら特典付き」という文言を商品ページ内で検索する。検索結果が得られた場合は、「今なら特典付き」という関連素材情報に変更はないと判定する。検索結果が得られなかった場合は、「今なら特典付き」という関連素材情報に変更があったと判定する。
上記の処理を実行することにより、商品動画に重畳させる関連素材情報が古くなった場合にのみ素材情報取得処理が実行されて最新の素材情報が取得される。即ち、不要な素材情報取得処理が発生しない。また、特に、関連素材情報を取得するごとに動画加工処理を実行する場合には、過剰な動画加工処理が抑制され、商品動画サーバ１の処理負担を軽減することができる。
【００６０】
＜８．変形例＞
商品動画と商品ページを紐付けるための情報として、商品ページ上に二次元バーコードを提示する際、当該商品ページ上に商品動画を投稿可能な販売者に対してのみ提示してもよい。具体的には、図６のステップＳ１０２で商品動画サーバ１に対して送信された認証情報を元に、当該販売者が販売している商品に係る商品ページにのみ、二次元バーコードを表示する。これにより、商品ページに商品動画を投稿できない閲覧者に対して、不要な情報を提供せずに済む。
【００６１】
図６のステップＳ２０４で説明した商品動画の関連素材情報の取得処理の際、ウェブページから情報の検索を行う既存の検索サービスを利用してキーワードを取得してもよい。これにより、当該商品に係る関連素材情報候補が増加し、関連素材情報の品質を高めることができる。
【００６２】
図４に示す商品動画ＤＢ５０に記憶される関連素材情報として、商品動画上に表示させる際の文字列の色や大きさ、フォントの種類などを更に記憶してもよい。事前に文字列の色などを決定しておくことにより、ユーザ端末上で商品動画上に関連素材情報を重畳させる際に文字列の多様な表示態様を実現することができる。
【００６３】
図６に示したステップＳ２０１の認証処理は、電子商取引サーバ３で行ってもよい。また、その場合には、販売者端末４と電子商取引サーバ３の間で認証処理と商品動画の投稿が行われ、商品動画サーバ１は電子商取引サーバ３から投稿された商品動画を受信してもよい。
【００６４】
ユーザ端末５上で商品動画を再生する前に、加工動画（或いは関連素材情報を加工前動画に重畳表示させた状態）が適切かどうかを販売者に選択させる処理を実行してもよい。またその場合には、販売者によって加工動画が適切であると認定されるまで、当該加工動画を商品ページ上で再生させないようにしてもよい。
これにより、適切な商品動画のみをユーザに閲覧させることができる。
【００６５】
図６に示したステップＳ２０７の素材情報取得処理においては、商品ページなどに掲載された商品に関するユーザのコメント（商品のレビューや店舗のレビューなど）から関連素材情報を取得してもよい。また、コメントの投稿頻度が高い場合には、新規のコメントが一定数（例えば１０件など）投稿されるごとに素材情報取得処理を実行することにより、商品動画サーバ１の処理負担を軽減してもよい。
【００６６】
図６に示したステップＳ２０４の素材情報取得処理においては、販売者によって投稿された商品動画に紐付けられた商品ページから関連素材情報を取得するだけでなく、当該商品ページの上位階層のページに含まれる情報を取得してもよい。即ち、商品ページが階層構造で構成された複数のウェブページの一部とされている場合、商品ページの上位階層となるウェブページ（例えば、店舗のトップページ、または、商品ページの上位のジャンルページなど）から関連素材情報を取得してもよい。
【００６７】
＜９．まとめ＞
これまで説明してきたように、商品動画サーバ１が実行する情報処理方法は、商品ページが指定されて投稿された動画を商品動画として受け付ける通信処理部１ｄが実行する動画投稿受付処理ステップ（図６のステップＳ２０２など）と、商品動画を指定された商品ページと紐付けて記憶する動画管理部１ａが実行する動画保存処理ステップ（図６のステップＳ２０３など）と、指定された商品ページに関連する素材情報を関連素材情報として取得する素材情報取得部１ｂが実行する素材情報取得処理ステップ（図６のステップＳ２０４など）と、ユーザ端末５上で関連素材情報が重畳された商品動画を表示させるための重畳表示用情報を生成する動画管理部１ａが実行する重畳表示用情報生成処理ステップ（図６のステップＳ２０５など）と、ユーザ端末からの商品ページの表示要求に応じて、重畳表示用情報（加工動画、または、加工前動画と関連素材情報と重畳態様情報）をユーザ端末５へ送信する通信処理部１ｄが実行する送信処理ステップ（図６のステップＳ２０６など）と、を実行する。
これにより、商品動画と商品ページを紐付ける作業などが簡易化され、一つ一つの商品動画の作成に掛かる時間的なコストが削減され、商品紹介動画を用いた商品プロモーションを行いやすくすることができる。
【００６８】
また、重畳表示用情報生成処理の第２例で説明したように、重畳表示用情報生成処理ステップ（図６のステップＳ２０５など）は重畳表示用情報として商品動画を構成する画像に前記関連素材情報を焼き付ける画像加工を施した加工動画を作成する。
これにより、関連素材情報が焼き付けられた動画が作成されるため、表示要求を受信した際にはユーザ端末５で重畳処理を実行する必要がなく、速やかに動画再生を行うことができる。
【００６９】
更に、重畳表示用情報生成処理の第１例や第２の実施の形態で説明したように、動画保存処理ステップ（図６のステップＳ２０３など）は画像加工を施す前の投稿された商品動画を加工前動画として記憶し、重畳表示用情報生成処理ステップ（図６のステップＳ２０５など）は、加工前動画に対する関連素材情報の重畳態様を示す重畳態様情報を生成し、送信処理ステップ（図６のステップＳ２０６など）は、加工前動画と関連素材情報と重畳態様情報とをユーザ端末５に送信する。
これにより、商品動画サーバ１において動画を加工する処理が発生しないため、商品動画サーバ１の処理負担を軽減することができる。
【００７０】
更にまた、第３の実施の形態で説明したように、指定された商品ページの情報の変更の有無を判定する商品ページ変更判定処理ステップ（図１２のステップＳ９０１）を実行し、商品ページ変更判定処理ステップにおいて商品ページの情報が変更されたと判定した場合に素材情報取得処理ステップ（図１２のステップＳ９０２）を実行する。
これにより、商品ページが変更された際には、新しい素材情報から関連素材情報が取得されるため、最新の情報が重畳された重畳表示用情報（加工動画など）を生成することができる。
【００７１】
加えて、第３の実施の形態で説明したように、指定された商品ページにおいて商品動画に重畳させる関連素材情報が変更されたか否かを判定する素材情報変更判定処理ステップ（図１２のステップＳ９０１）を実行し、素材情報変更判定処理ステップにおいて関連素材情報が変更されたと判定した場合に素材情報取得処理ステップ（図１２のステップＳ９０２）を実行する。
これにより、商品動画に重畳させる関連素材情報が古くなった場合にのみ素材情報取得処理が実行されて最新の素材情報が取得される。即ち、不要な素材情報取得処理が発生しない。特に、関連素材情報を取得するごとに動画加工処理を実行する場合には、過剰な動画加工処理が抑制され、商品動画サーバ１の処理負担を軽減することができる。
【００７２】
また、変形例で説明したように、商品ページは階層構造で構成された複数のウェブページの一部とされ、素材情報取得処理ステップ（図６のステップＳ２０４など）では、商品ページの上位階層のウェブページに含まれる情報を関連素材情報として取得する。
これにより、例えば、店舗のトップページの情報などが関連素材情報として取得され、商品ページだけでなく、その上位階層などのページの閲覧をユーザに促すことができる。即ち、ウェブページの回遊性を高めることができる。
また、商品動画に店舗情報が含まれるため、店舗ごとに独自の情報が重畳された商品動画を再生することができる。
【００７３】
更に、素材情報取得処理の第２例で説明したように、ユーザ情報を取得するユーザ情報取得ステップ（図１１のステップＳ７０１）を実行し、素材情報取得処理ステップ（図６のステップＳ２０４など）はユーザ情報に基づいて関連素材情報を取得する。
これにより、ユーザの属性情報に応じた関連素材情報がユーザ端末に送信されるため、ユーザの嗜好に合った訴求力のある商品動画をユーザ端末５上で再生させることができる。
【００７４】
＜１０．プログラム及び記憶媒体＞
以上、本発明の商品動画サーバ１を説明してきたが、実施の形態のプログラムは、商品動画サーバ１における処理を演算処理装置（ＣＰＵなど）に実行させるプログラムである。
【００７５】
実施の形態のプログラムは、商品ページが指定されて投稿された動画を商品動画として受け付ける動画投稿受付手順を演算処理装置に実行させる。
また、商品動画を指定された商品ページと紐付けて記憶する動画保存手順を演算処理装置に実行させる。
更に、指定された商品ページに関連する素材情報を関連素材情報として取得する素材情報取得手順を演算処理装置に実行させる。
更にまた、ユーザ端末上で関連素材情報が重畳された商品動画を表示させるための重畳表示用情報を生成する重畳表示用情報生成手順を演算処理装置に実行させる。
加えて、ユーザ端末からの商品ページの表示要求に応じて、重畳表示用情報をユーザ端末へ送信する送信手順を演算処理装置に実行させる。
即ちこのプログラムは、演算処理装置に対して、図６に示したステップＳ２０１乃至ステップＳ２０６の各処理、図７乃至図９に示した各処理、図１０に示したステップＳ２０１乃至ステップＳ２０９の各処理、図１１に示した各処理、図１２に示したステップＳ９０１乃至ステップＳ９０３の各処理を実行させるプログラムである。
【００７６】
このようなプログラムにより、上述した商品動画サーバ１を実現できる。
そしてこのようなプログラムはコンピュータ装置などの機器に内蔵されている記憶媒体としてのＨＤＤや、ＣＰＵを有するマイクロコンピュータ内のＲＯＭなどに予め記憶しておくことができる。或いはまた、半導体メモリ、メモリカード、光ディスク、光磁気ディスク、磁気ディスクなどのリムーバブル記憶媒体に、一時的或いは永続的に格納（記憶）しておくことができる。またこのようなリムーバブル記憶媒体は、いわゆるパッケージソフトウェアとして提供することができる。
また、このようなプログラムは、リムーバブル記憶媒体からパーソナルコンピュータなどにインストールする他、ダウンロードサイトから、ＬＡＮ、インターネットなどのネットワークを介してダウンロードすることもできる。
【符号の説明】
【００７７】
１  商品動画サーバ、１ａ  動画管理部、１ｂ  素材情報取得部、１ｃ  重畳表示用情報生成部、１ｄ  通信処理部、２  通信ネットワーク、３  電子商取引サーバ、４  販売者端末、５  ユーザ端末、５０  商品動画ＤＢ、５１  商品ＤＢ、５２  店舗ＤＢ、５３  販売者ＤＢ、５４  ユーザＤＢ、
【要約】
一つ一つの商品動画の作成に掛かる時間的なコストを削減し、商品紹介動画を用いた商品プロモーションを行いやすくする。
そのために情報処理装置が実行する情報処理方法として、商品ページが指定されて投稿された動画を商品動画として受け付ける動画投稿受付処理ステップと、商品動画を指定された商品ページと紐付けて記憶する動画保存処理ステップと、指定された商品ページに関連する素材情報を関連素材情報として取得する素材情報取得処理ステップと、ユーザ端末上で関連素材情報が重畳された商品動画を表示させるための重畳表示用情報を生成する重畳表示用情報生成処理ステップと、ユーザ端末からの商品ページの表示要求に応じて、重畳表示用情報をユーザ端末へ送信する送信処理ステップと、を実行する。【図１】
0005789734.tif 000002
【図２】
0005789734.tif 000003
【図３】
0005789734.tif 000004
【図４】
0005789734.tif 000005
【図５】
0005789734.tif 000006
【図６】
0005789734.tif 000007
【図７】
0005789734.tif 000008
【図８】
0005789734.tif 000009
【図９】
0005789734.tif 000010
【図１０】
0005789734.tif 000011
【図１１】
0005789734.tif 000012
【図１２】
0005789734.tif 000013